(57)【要約】【課題】建築物の外観を損なわずに、容易に設置することができる避雷設備を提供する。【解決手段】落雷による建築物の被害や人的被害を低減させるための避雷設備であって、導電材料で形成され、下端部２ａが建築物近傍の地中Ｇに埋設され接地されるとともに、上端部２ｂが建築物の上端部よりも上方に配された筒体２を備えている。筒体２は、内部２ｃに建築物に引き込まれる電力線や電話線やＴＶ線などの配線１２が挿通可能に構成されている。【選択図】図２
0003166797.tif 000002
【実用新案登録請求の範囲】
【請求項１】
落雷による建築物の被害や人的被害を低減させるための避雷設備であって、
導電材料で形成され、下端部が前記建築物近傍の地中に埋設され接地されるとともに、上端部が前記建築物の上端部よりも上方に配された筒体を備え、
該筒体は、内部に前記建築物に引き込まれる配線が挿通可能に構成されていることを特徴とする避雷設備。
【請求項２】
前記筒状体の上端部には、導電材料で形成され前記筒体よりも細い針体が設置されていることを特徴とする請求項１に記載の避雷設備。
【考案の詳細な説明】
【技術分野】
【０００１】
本考案は、落雷による建築物の被害や人的被害を低減させるための避雷設備に関する。
【背景技術】
【０００２】
従来より、落雷による建築物や当該建築物内に設置された電子機器類などの被害や人的被害を低減させるために、建築物の屋根や屋上に避雷針などの避雷設備が設置されている（例えば、特許文献１参照）。
【先行技術文献】
【特許文献】
【０００３】
【特許文献１】特開平１０−２６１４９５号公報
【考案の概要】
【考案が解決しようとする課題】
【０００４】
しかしながら、建物の屋根や屋上に避雷設備が設置されると建築物の外観が損なわれるという問題がある。また、近年は建物の屋根や屋上に太陽光発電パネルが設置される場合が増えており、このような場合は避雷設備が設置しづらくなるという問題がある。さらに、避雷設備は高所に設置されるため、容易に設置できることが望まれている。
【０００５】
本考案は、上述する問題点に鑑みてなされたもので、建築物の外観を損なわずに、容易に設置することができる避雷設備を提供することを目的とする。
【課題を解決するための手段】
【０００６】
上記目的を達成するため、本考案に係る避雷設備は、落雷による建築物の被害や人的被害を低減させるための避雷設備であって、導電材料で形成され、下端部が前記建築物近傍の地中に埋設され接地されるとともに、上端部が前記建築物の上端部よりも上方に配された筒体を備え、該筒体は、内部に前記建築物に引き込まれる配線が挿通可能に構成されていることを特徴とする
【０００７】
本考案では、導電材料で形成され、下端部が建築物近傍の地中に埋設され接地されるとともに、上端部が建築物の上端部よりも上方に配された筒体を備えていることにより、落雷が起こった時には、筒体が受雷してその雷電流を地中へ流すことができるため、落雷による建築物の被害や人的被害を低減させることができる。
そして、筒体は、建築物内へ各種配線（電力線や電話線やＴＶ線など）を引き込むための引込柱として利用できるため、引込柱を地盤に立設させて接地させることで避雷設備を容易に設置することができる。
また、従来のように建築物の屋根や屋上へ避雷設備を設置する必要がないため、避雷設備によって建築物の外観が損なわれることを防ぐことができる。  
【０００８】
また、本考案に係る避雷設備では、前記筒体の上端部には、導電材料で形成され前記筒体よりも細い針体が設置されていることが好ましい。
このように構成されていることにより、落雷時には、針体が受雷し、その雷電流を筒体を介して確実に地中へ流すことができるため、落雷による建築物の被害や人的被害を低減させることができる。
【考案の効果】
【０００９】
本考案によれば、従来のように建築物の屋根や屋上へ避雷設備を設置する必要がないため、避雷設備によって建築物の外観が損なわれることを防ぐことができるとともに、筒体は、建築物内へ配線を引き込むための引込柱として利用できるため、引込柱を地盤に立設させて接地させることで避雷設備を容易に設置することができる。
【図面の簡単な説明】
【００１０】
【図１】本考案の実施形態による避雷設備の一例を示す図である。
【図２】避雷設備の正面図である。
【考案を実施するための形態】
【００１１】
以下、本考案の実施形態による避雷設備について、図１および図２に基づいて説明する。
図１に示すように、本実施形態による避雷設備１は、低層の建築物（例えば、２階建て住宅）１１の近傍に立設した筒体２と、筒体２の上端部２ｂに設置された針状の針体３と、筒体２の側面に取り付けられて建築物１１のガスメータや電力メータなどが収容されたメータ収容部４とを備えている。
【００１２】
図２に示すように、筒体２は、導電材料で形成された角筒状のパイプで、下端部２ａが建築物１１の近傍の地中Ｇに埋設され、上端部２ｂが建築物１１の上端部１１ａよりも上方に配されている。この筒体２は、下端部２ａにアース端子５を備え、地盤に接地されている。なお、筒体２は、角筒状に限らず円筒状など他の筒状に形成されていてもよい。
また、筒体２は、内部２ｃに、建築物１１に引き込まれる電力線や電話線やＴＶ線などの配線１２が挿通可能に構成されている。そして、筒体２の側面には、筒体２の外部から内部２ｃへ配線１２が挿入可能な複数の開口部６が形成されている。
なお、筒体２は、１本のパイプで構成されていてもよいし、長さ方向に複数に分割可能なパイプで構成されていてもよい。筒体２を長さ方向に複数に分割可能な構成とすることにより、建築物１１の高さよりも長い筒体２の輸送を行いやすくなる。
【００１３】
複数の開口部６は、それぞれ異なる高さに形成されていて、引き込まれる配線１２の設置高さなどによって任意の開口部６に配線１２が挿通される。
開口部６から筒体２の内部２ｃに挿入された配線１２は、筒体２の内部２ｃの下方へ挿通され、下端部２ａから地中Ｇを通って建築物１１（図１参照）に引き込まれている。
このように、筒体２は、建築物１１へ配線１２を引き込むための引込柱として利用することができる。なお、筒体２の内部２ｃに配線１２を挿通可能な樹脂配管（不図示）を設けてもよい。この樹脂配管内に配線１２を挿通することにより、筒体２に雷電流が通過する際にも配線１２への影響をより小さくすることができる。
また、本実施形態では、筒体２は、建築物１１の母屋１３（図１参照）と当接していて、側方に母屋１３の先端部が嵌合される切欠き部７が形成されている。
【００１４】
針体３は、導電材料で筒体２よりも細く、上端部３ａが尖った針状に形成されていて、筒体２とは電気的に接続されている。また、針体３の上端部３ａは、建築物１１の上端部１１ａ（図１参照）よりも上方に配されている。
そして、建築物１１が建設されたエリアにおいて落雷が起き、このエリアにおいて避雷設備１よりも高さが高い構造物が無い場合、落雷により針体３が受雷して、針体３から筒体２を介して地中Ｇへ雷電流が流れるように構成されている。
【００１５】
メータ収容部４は、前面に扉４ａが取り付けられた箱状に形成されている。そして、扉４ａには窓４ｂが形成されていて、この窓４ｂから内部に収容されたガスメータや電力メータなどを確認できるように構成されている。この電力メータは、筒体２の内部２ｃに引き込まれた電力線と接続されている。
【００１６】
次に、上述した避雷設備１の作用効果について図面を用いて説明する。
本実施形態による避雷設備１によれば、導電材料で形成され、下端部２ａが建築物１１近傍の地中Ｇに埋設され接地されるとともに、上端部２ｂが建築物１１の上端部１１ａよりも上方に配された針体３を備えていることにより、落雷時には、針体３が受雷して、その雷電流を筒体２を介して地中Ｇへ流すことができるため、落雷による建築物１１の被害や人的被害を低減させることができる。
そして、筒体２は、建築物１１へ配線１２を引き込むための引込柱として利用できるため、引込柱を地盤に立設させることで避雷設備１を容易に設置することができる。
また、従来のように建築物１１の屋根や屋上へ避雷針などの避雷設備を設置する必要がないため、避雷設備１によって建築物１１の外観が損なわれることを防ぐことができる。
【００１７】
以上、本考案による避雷設備１の実施形態について説明したが、本考案は上記の実施形態に限定されるものではなく、その趣旨を逸脱しない範囲で適宜変更可能である。
例えば、上述した実施形態では、筒体２の上端部２ｂに針体３を設置しているが、針体３を設置せずに、落雷時に筒体２に直接受雷させる構成としてもよい。
また、上述した実施形態では、筒体２に配線１２を挿入させるための開口部６が複数形成されているが、開口部６が１つだけ形成されていてもよい。
また、上述した実施形態では、筒体２は、建築物１１の母屋１３と当接しているが、建築物１１の母屋１３以外の部材と当接していてもよく、また建築物１１の近傍に建築物１１と離間して設置されていてもよい。
また、上述した実施形態では、筒体２の下端部２ａ側の側部にメータ収容部４が設置されているが、メータ収容部４のない避雷設備１としてもよい。
【符号の説明】
【００１８】
１  避雷設備
２  筒体
２ａ  下端部
２ｂ  上端部
２ｃ  内部
３  針体
１１  建築物
１１ａ  上端部
１２  配線
Ｇ  地中
【図１】
0003166797.tif 000003
【図２】
0003166797.tif 000004